(57)【要約】【課題】  中央開口部がそれぞれ設けられ、固定される糸（３）のための入り組んだ通路の範囲を定めるために協力する第一部材（１）及び第二部材（４）、からなる複数の糸（３）を固定するための装置を提供する。【解決手段】  前記第二部材（４）には、それぞれの中央開口部を介して相対向する二つの側壁（４０）が設けられ、かつ前記二つの側壁（４０）に結合される二つの外側ウイング（４４）が設けられ、前記二つの側壁（４０）が、その一端側で、前記二つの側壁（４０）が設けられているのと同じ第二部材の底壁（４１）に結合されており、かつ、その他端側で、前記第二部材（４）の対応する外側ウイング（４４）に結合されるようにした。【選択図】  図５
2005195173.tif 000002
【特許請求の範囲】
【請求項１】
中央開口部がそれぞれ設けられ、固定される糸（３）のための入り組んだ通路の範囲を定めるために協力する第一部材（１）及び第二部材（４）、からなる複数の糸（３）を固定するための装置であって、前記第二部材（４）には、それぞれの中央開口部を介して相対向する二つの側壁（４０）が設けられ、かつ前記二つの側壁（４０）に結合される二つの外側ウイング（４４）が設けられ、前記二つの側壁（４０）が、その一端側で、前記二つの側壁（４０）が設けられているのと同じ第二部材の底壁（４１）に結合されており、かつ、その他端側で、前記第二部材（４）の対応する外側ウイング（４４）に結合されていることを特徴とする複数の糸を固定するための装置。
【請求項２】
請求項１に記載の装置であって、前記二つの側壁（４０）には、前記第二部材（４）の対応する外側ウイング（４４）にそれぞれ面するそれぞれの外側歯状突起（４５）が設けられていることを特徴とする複数の糸を固定するための装置。
【請求項３】
請求項１に記載の装置であって、第二部材（４）の前記二つの側壁（４０）には、それぞれの内側歯状突起（４３）が設けられていることを特徴とする複数の糸を固定するための装置。
【請求項４】
請求項１に記載の装置であって、前記糸（３）が電気ケーブル（２）の抵抗性の非伝導糸であることを特徴とする複数の糸を固定するための装置。
【請求項５】
請求項１に記載の装置であって、前記糸（３）がロープ又はコードの糸又はストランドであることを特徴とする複数の糸を固定するための装置。
【請求項６】
請求項１〜５のいずれか１項記載の装置であって、前記第一部材及び第二部材（１，４）には、逆行できないかぎ留めを行うための手段（１４０，４２）が設けられていることを特徴とする複数の糸を固定するための装置。
【請求項７】
請求項１に記載の装置であって、第二部材（４）のそれぞれの前記二つの側壁（４０）及びそれぞれの外側ウイング（４４）が、第二部材（４）が作製されるのと同一の形成材料で作製された接合部によって接合されることを特徴とする複数の糸を固定するための装置。
【請求項８】
請求項１又は請求項７に記載の装置であって、前記接合部（４６）は、実質的に同一平面上で前記底壁（４１）から所定距離を置いて位置することを特徴とする複数の糸を固定するための装置。
【発明の詳細な説明】
【技術分野】
【０００１】
本発明は、排他的でないにせよ、特に、繊維抵抗芯材、すなわち複数の抵抗性の非伝導糸からなる芯材が設けられた電気ケーブルのための固定装置に関する。
【発明の開示】
【発明が解決しようとする課題】
【０００２】
本発明の目的は、上述したタイプの電気ケーブルの簡単、迅速かつ安全な固定を行えるようにした装置を提供することにある。
【課題を解決するための手段】
【０００３】
本発明によれば、請求項１に記載された特徴、さらにその従属項に記載された特徴を有する装置を作製するアイデアを適用することにより、上記目的は達成される。
【０００４】
すなわち、本発明の複数の糸を固定するための装置は、中央開口部がそれぞれ設けられ、固定される糸（３）のための入り組んだ通路の範囲を定めるために協力する第一部材（１）及び第二部材（４）、からなる複数の糸（３）を固定するための装置であって、前記第二部材（４）には、それぞれの中央開口部を介して相対向する二つの側壁（４０）が設けられ、かつ前記二つの側壁（４０）に結合される二つの外側ウイング（４４）が設けられ、前記二つの側壁（４０）が、その一端側で、前記二つの側壁（４０）が設けられているのと同じ第二部材の底壁（４１）に結合されており、かつ、その他端側で、前記第二部材（４）の対応する外側ウイング（４４）に結合されていることを特徴とする。
【０００５】
また、前記二つの側壁（４０）には、前記第二部材（４）の対応する外側ウイング（４４）にそれぞれ面するそれぞれの外側歯状突起（４５）が設けられていることを特徴とする。
【０００６】
さらに、第二部材（４）の前記二つの側壁（４０）には、それぞれの内側歯状突起（４３）に設けられていることを特徴とする。
【０００７】
前記糸（３）は電気ケーブル（２）の抵抗性の非伝導糸であるのが好ましい。
【０００８】
また、前記糸（３）がロープ又はコードの糸又はストランドであるのが好ましい。
【０００９】
さらに、前記第一部材及び第二部材（１，４）には、相互に逆行できないかぎ留め（hooking）を行うための手段（１４０，４２）が設けられる構成とするのが好適である。
【００１０】
第二部材（４）のそれぞれの前記二つの側壁（４０）及びそれぞれの外側ウイング（４４）が、第二部材（４）が作製されるのと同一の形成材料で作製された接合部によって接合されるようにすることもできる。
【００１１】
前記接合部（４６）は、実質的に同一平面上で前記底壁（４１）から所定距離を置いて位置するように構成することも可能である。
【００１２】
本発明の装置は、たとえ電気ケーブルが高い張力にさらされたとしても、芯糸が伸びてしまうことを防ぐものであり、安全であり、作製するのが簡単で安く済み、そして長時間の実施後であっても信頼性の高い装置である。
【００１３】
さらにまた、本発明の装置は、使用するのが簡単であり、特別の訓練を一切必要としない装置である。
【００１４】
これら並びに本発明の他の利点及び特徴は、本発明の実施の例として示した添付図面と共に示した以下の発明の詳細な説明を読むことによって当業者により最も良く理解されるが、限定的な意味にとらえてはならない。
【００１５】
図１は、本発明に係る装置の概略斜視図である。図２は、図１に示された装置の断面図であって、電気ケーブルを省略したものである。図３は、図１及び図２に示された装置の第一部材の斜視図である。
【００１６】
図４は、図１及び図２に示された装置のさらなる縦断面図である。図５は、図１及び図２に示された組立の斜視図であって、電気ケーブルを省略し、第二部材（４）を見易くするために第一部材（１）を部分断面的に示したものである。図６及び図７は、第二部材の２つの斜視図である。
【発明の効果】
【００１７】
以上のように、本発明の装置は、たとえ電気ケーブルが高い張力にさらされたとしても、芯糸が伸びてしまうことを防ぐものであり、安全であり、作製するのが簡単で安く済み、そして長時間の実施後であっても信頼性の高い装置である。
【００１８】
さらにまた、本発明の装置は、使用するのが簡単であり、特別の訓練を一切必要としない装置である。
【発明を実施するための最良の形態】
【００１９】
基本的な構造に制約し、添付図面に言及すると、本発明による装置は、複数の抵抗性の非伝導糸（３）からなる芯材が設けられたタイプの電気ケーブル（２）の通路とするための中央開口部（１０）が設けられた第一部材（１）と、前記電気ケーブル（２）が後者の中央を通り抜けるようにされ、かつ、該電気ケーブル（２）の抵抗性の糸（３）のための入り組んだ通路であるところの前記座部（１４）の内側表面と協力して、範囲を定める２つの内側側面の側壁（４０）を有する第二部材（４）と、該電気ケーブル（２）が第一部材（１）を通り抜けるようにするための中央開口部（１０）の一部とされている前記座部（１４）と、から構成される。
【００２０】
前記第一部材（１）には、前記座部（１４）とは他端側に、今度は逆“U”字状カット部（１０２）によって囲まれておりそれぞれの基部が対応する同一の付加物のみに結合された２つの放射状突起付き付加物（１０１）を有する管状付加物（１００）が設けられている。
【００２１】
このように、前記放射状突起付き付加物（１０１）は管状付加物（１００）の内側に向かって弾力的に曲がるようにされている。
【００２２】
このことは、管状付加物（１００）及び前記座部（１４）が、図１、図４及び図５に示されるように同一の支持部材（５）を介して反対側に位置するように、第一部材（１）の管状付加物（１００）が位置される開口部（５０）を備えている支持部材（５）に該固定装置が連結されるときに特に有用である。
【００２３】
該第一部材（１）を通る電気ケーブル（２）の通路のための中央開口部は、管状付加物（１００）及び第一部材の座部（１４）の完全に内側にある。前記第一部材（１）には、前記座部（１４）に対応して、電気ケーブル（２）のための中央開口部（１０）に実質的に軸が直交している横断開口部（１４０）が設けられている。
【００２４】
前記第二部材（４）には、前記側壁（４０）が現れるところの底壁の後ろで、第一部材及び第二部材が糸（３）を固定するために組み立てられる際に座部（１４）の横断開口部（１４０）に噛み合うようにされた歯（４２）が設けられている。このようにして、該第二部材と第一部材との逆行できない連結が実現される。
【００２５】
その間に電気ケーブル（２）が通り抜けられるようにされた前記二つの側壁（４０）は、その一端側で、二つの側壁（４０）が設けられているのと同じ第二部材の底壁（４１）に結合され、その他端側で、第二部材（４）の２つの外側ウイング（４４）に結合され、平面図で見える時は、該第二部材（４）は、“C”状中央部及び２つの“C”状サイド部を具備する連続的な形を有している。該２つの“C”状サイド部は、中央部に対して逆、すなわち１８０°反転されている。
【００２６】
前記二つの側壁（４０）は、外側ウイング（４４）に実質的に平行とされている。
【００２７】
図５、図６及び図７に示した例によれば、前記二つの側壁（４０）は、第二部材（４）が作製されるのと同じ鋳型材料から作製される２つの対応する接続セグメント又は接合部（４６）によって外側ウイング（４４）に結合されている。
【００２８】
前記接合部（４６）は、それぞれの二つの側壁（４０）及びそれぞれの外側ウイング（４４）に実質的に直交している。
【００２９】
前記接合部又はセグメント（４６）は、同一の側にあって、つまり、それらは実質的に同じ平面上にあり、前記底壁（４１）から所定の距離とされている。何故なら、それらのそれぞれ及び底壁（４１）の間には、対応する二つの側壁（４０）が存在するからである。
【００３０】
それぞれの前記二つの側壁（４０）、対応する外側ウイング及びそれぞれの接合部（４６）は、糸（３）が固定されるように、上方及び下方に開放され、接合部（４６）の前に位置する開口部の範囲を定めるために協力する。
【００３１】
さらにまた、前記第二部材のそれぞれの側壁（４０）に対応して、すなわち、電気ケーブル（２）に面する壁に対応して、歯（４３）が好都合に設けられる。
【００３２】
図１及び４に示すように、装置が作動状態にあるときには、該第二部材（４）の該２つの歯（４３）は、該歯（４３）を有する二つの側壁（４０）の間を通る電気ケーブル（２）を締め付ける。
【００３３】
さらにまた、前記二つの側壁（４０）には、それぞれの外側ウイング（４４）に面するそれぞれの前記歯であるそれぞれの外側歯（４５）が設けられる。
【００３４】
装置は以下のように組み立てられる。
【００３５】
該電気ケーブル（２）は、管状付加物（１００）、該第一部材（１）の該座部（１４）及び該第二部材（４）の該二つの側壁（４０）の間のギャップを通り抜けるようにされる。
【００３６】
次に、抵抗性の非伝導糸（３）が２つの側面を有する束を形成するように手動で配置される。
【００３７】
続いて、糸（３）のそれぞれの束が、対応する二つの側壁（４０）及び第二部材（４）のそれぞれの外側ウイング（４４）の間に位置され、それから、図４に示すように、同一のウイングの外側面に近接して位置される。
【００３８】
最後に、一方では、第一部材（１）が第二部材に向かって押され、他方では、電気ケーブル（２）が逆の方向に押される。
【００３９】
したがって、非伝導糸（３）は第一部材及び第二部材（１、４）によって範囲を定められた入り組みの範囲内で固定され、第二部材は第一部材に設けられた座部（１４）の範囲内に位置されるようになる。電気ケーブル（２）は第二部材（４）の歯（４３）により締め付けられる。
【００４０】
上述された装置はロープ又はコードのストランド端を固定するためにもまた好都合に同様に用いられうる。
【００４１】
特に、構成の詳細は、種々考えられるが、その形状、大きさ、部材の配置、使用される材料の性質を考慮して、適用された解決案の範囲から逸脱しない限り、そして産業上の発明のための本特許に与えられる保護の範囲内にある限り、本発明に含まれることとなる。
【図面の簡単な説明】
【００４２】
【図１】図１は、本発明に係る装置の概略斜視図である。
【図２】図１に示された装置の断面図であって、電気ケーブルを省略したものである。
【図３】図１及び図２に示された装置の第一部材の斜視図である。
【図４】図１及び図２に示された装置のさらなる縦断面図である。
【図５】図１及び図２に示された組立の斜視図であって、電気ケーブルを省略し、第二部材（４）を見易くするために第一部材（１）を部分断面的に示したものである。
【図６】第二部材の２つの斜視図である。
【図７】第二部材の２つの斜視図である。
【符号の説明】
【００４３】
１：第一部材、２：電気ケーブル、３：非伝導糸、４：第二部材、５：支持部材、１０：中央開口部、１４：座部、４０：側壁、４１：底壁、４２：歯、４３：歯、４４：外側ウイング、４６：接合部、５０：開口部、１００：管状付加物、１０１：放射状突起付き付加物、１０２：逆U字状カット部、１４０：横断開口部。
【図１】
2005195173.tif 000003
【図２】
2005195173.tif 000004
【図３】
2005195173.tif 000005
【図４】
2005195173.tif 000006
【図５】
2005195173.tif 000007
【図６】
2005195173.tif 000008
【図７】
2005195173.tif 000009